(57)【特許請求の範囲】
【請求項１】
床に近接する引出しが引出し本体に設けられた金属製の前板裏カバーと、該前板裏カバーの前側に取り付けられる合成樹脂製の前板とを備えている収納家具において、前記前板は前板裏カバーの下側に位置する合成樹脂製の取付部を有し、転子を支持する合成樹脂製の転子支持体が前記前板の取付部に対し下方より嵌め込まれて前後左右及び上下方向に位置決め可能に固定され、前記転子支持体は該転子支持体が前記取付部に位置決め固定された際に前記取付部の上方へ突出する突出部を有し、前記前板裏カバーには前記取付部の上側で前記突出部を支持する金属製の支持部が設けられていることを特徴とする収納家具における前傾防止構造。
【請求項２】
前記支持部は、前記前板裏カバーの下端より前方に折り曲げて形成された下端折曲縁を有し、該下端折曲縁には、前記転子支持体が前記前板の取付部に位置決めされたときに前記転子支持体の前記突出部と嵌まり合う透孔が形成されていることを特徴とする請求項１記載の収納家具における前傾防止構造。
【請求項３】
前記支持部は、前記前板裏カバーの前面側に取り付けられた支持金具を有し、該支持金具には、前記転子支持体が前記前板の取付部に位置決めされたときに上下に間隔をあけた２カ所で前記突出部と嵌まり合う２つの透孔が形成されていることを特徴とする請求項１又は２記載の収納家具における前傾防止構造。
【請求項４】
前記前板の取付部が前記転子支持体を下方から受け入れて該転子支持体を前後左右に位置決め可能に保持する保持部と、該保持部に嵌め込まれた前記転子支持体の上方移動を規制するためのストッパ部とを有し、前記前板の取付部と前記転子支持体とに、前記保持部に嵌め込まれた前記転子支持体がその上方移動を規制される位置で弾性を利用して転子支持体の下方移動を規制する弾性抜け止め手段が設けられていることを特徴とする請求項１記載の収納家具における前傾防止構造。
【請求項５】
床に近接する引出しが引出し本体に設けられた金属製の前板裏カバーと、該前板裏カバーの前側に取り付けられる合成樹脂製の前板とを備えている収納家具において、前記前板は前板裏カバーの下側に位置する取付部を有し、転子を支持する合成樹脂製の転子支持体が前記前板の取付部に対し下方より嵌め込まれて前後左右及び上下方向に位置決め可能に固定され、前記前板裏カバーには前記転子支持体に設けられた上方への突出部を支持するように支持部が設けられており、前記支持部は、前記前板裏カバーの前面側に取り付けられた支持金具を有し、該支持金具には、前記転子支持体が前記前板の取付部に位置決めされたときに上下に間隔をあけた２カ所で前記突出部と嵌まり合う２つの透孔が形成されていることを特徴とする収納家具における前傾防止構造。
【請求項６】
床に近接する引出しが引出し本体に設けられた金属製の前板裏カバーと、該前板裏カバーの前側に取り付けられる合成樹脂製の前板とを備えている収納家具において、前記前板は前板裏カバーの下側に位置する取付部を有し、転子を支持する合成樹脂製の転子支持体が前記前板の取付部に対し下方より嵌め込まれて前後左右及び上下方向に位置決め可能に固定され、前記前板裏カバーには前記転子支持体に設けた上方への突出部を支持するように支持部が設けられており、前記前板の取付部が前記転子支持体を下方から受け入れて該転子支持体を前後左右に位置決め可能に保持する保持部と、該保持部に嵌め込まれた前記転子支持体の上方移動を規制するためのストッパ部とを有し、前記前板の取付部と前記転子支持体とに、前記保持部に嵌め込まれた前記転子支持体がその上方移動を規制される位置で弾性を利用して転子支持体の下方移動を規制する弾性抜け止め手段が設けられていることを特徴とする収納家具における前傾防止構造。
【請求項７】
前記支持部は、前記前板裏カバーの下端より前方に折り曲げて形成された下端折曲縁を有し、前記前板は前記前板裏カバーの前記下端折曲縁の下面と重なり合う横壁部を有し、この横壁部の下面が前記取付部の前記ストッパ部を構成していることを特徴とする請求項４又は６記載の収納家具における前傾防止構造。
【発明の詳細な説明】
【０００１】
【発明の属する技術分野】
本発明は、引出しを備えたワゴン、袖机、脇机、サイドテーブル等の収納家具における前傾防止構造に関する。
【０００２】
【従来の技術】
引出しを備えたワゴン、袖机、脇机、サイドテーブル等の収納家具においては、床に最も近接する引出し（複数の引出しを有する場合は最下段の引出し）が家具本体の前方に引き出されたときにこの引出しが収容物の荷重で前に傾くことがある。そこで、床に最も近接する引出しの下面前端に前掲防止キャスターを取り付けた収納家具が種々提案されている。
【０００３】
例えば、実公平５−１５２２０号に記載された前傾防止構造においては、転子を支持する支持枠が、引出しの底板前部に取り付けた取付金具にネジ止めされるとともに、支持枠に折り曲げ形成した舌片が又は前板の下端折り曲げ部に形成した穴に嵌め込まれることによって位置決め固定がなされるものとなっている。しかしながら、係る構成においては、支持枠をネジを用いて取付板に固定しているため取り付けに工具を必要とし、取り付け作業に手間がかかる。特に、家具本体の底部にキャスターを備えた収納家具の場合、このキャスターは配送拠点からの出荷時若しくは配送先で家具本体に取り付けられることが多いが、その場合に引出しの底部前端に前傾防止キャスターを予め取り付けているとこの前傾防止キャスターが下方に突出し、保管や梱包等に支障を来す。したがって、前傾防止キャスターの取り付けを配送拠点で配送の直前に、或いは、配送先で行うことが望ましいが、ネジ止めによる取り付けではその作業を効率よく行うことができない。また、位置決めのための舌片が金属製の支持枠の打ち抜き曲げ加工により作られているため、支持枠の打ち抜き曲げ加工精度バラツキの影響を受けやすい。また、穴を有する前板がスチール製のときは穴加工精度バラツキの影響も受けるため、前傾防止キャスターの位置決め精度が大きく低下する原因となる。
【０００４】
また、実開平５−８４２３８号公報に記載された収納家具の前傾防止キャスター取付構造においては、引出しが合成樹脂製の前板と底板にスポット溶接された前板裏カバーとを有し、転子を支持した合成樹脂製の転子支持体が引出しの前板に嵌まり込み上下左右に位置決めされるとともに、転子支持体を前板と底板の前縁及び前板裏カバーの下端折曲げ縁とで前後に挟むことにより、前後方向に位置決め固定するよう構成されている。しかしながら、この前傾防止キャスター取付構造においては、前板に転子支持体を取り付けた後に前板と底板とをネジ止めする必要があるため、前傾防止キャスターの取り付けに手間がかかる。したがって、この取付構造においても、前傾防止キャスターの取り付けを配送拠点で配送の直前に、或いは、配送先で効率よく行うことができない。また、転子支持体の前後方向位置決め手段が、通常は金属板からなる底板の前縁及び表板裏カバーの下端折曲げ縁を利用しているため、裏板の曲げ加工精度バラツキの影響を受けやすく、このため前傾防止キャスターの前後方向の位置決め精度が大きく低下する原因となる。
【０００５】
一方、ネジ止めの不要な前傾防止キャスターの取付構造が例えば特開平７−２５５５４７号公報及び特開平７−２５５５４８号公報に開示されている。この取付構造においては、引出しの前板が表板と裏板とからなり、転子を保持した合成樹脂製の転子支持体が引出しの前板に嵌まり込んで前後左右上下に固定されるよう構成されており、前傾防止キャスターをワンタッチ操作で取り付けることができるが、下方への脱落を防止する手段が、通常は金属板からなる裏板に形成した穴を利用しているため、裏板の穴加工精度バラツキの影響を受けやすく、このため前傾防止キャスターの上下方向の位置決め精度が大きく低下する原因となる。
【０００６】
一方、合成樹脂製の前板のみを利用して転子を支持する合成樹脂製の転子支持体を位置決め固定するようにすれば、位置決め精度を向上することができるが、その反面、転子支持体の取付け強度が低下し、転子が床面上の段差や突出物に当接した際に衝撃で脱落したり、損傷したりする原因となる。
【０００７】
【発明が解決しようとする課題】
上記従来技術の欠点に鑑み、本発明の目的は、引出しへの取付けが容易で且つ高い取付け強度と位置決め精度を確保することができる収納家具における前傾防止構造を提供することにある。
【０００８】
【課題を解決するための手段】
上記課題を解決するために、本発明は、床に近接する引出しが引出し本体に設けられた金属製の前板裏カバーと、該前板裏カバーの前側に取り付けられる合成樹脂製の前板とを備えている収納家具において、前記前板は前板裏カバーの下側に位置する合成樹脂製の取付部を有し、転子を支持する合成樹脂製の転子支持体が前記前板の取付部に対し下方より嵌め込まれて前後左右及び上下方向に位置決め可能に固定され、前記転子支持体は該転子支持体が前記取付部に位置決め固定された際に前記取付部の上方へ突出する突出部を有し、前記前板裏カバーには前記取付部の上側で前記突出部を支持する金属製の支持部が設けられていることを特徴とする収納家具における前傾防止構造を提供する。
【０００９】
上記構成によれば、転子を支持する合成樹脂製の転子支持体が引出しの前板の取付部に対し下方より嵌め込まれて前後左右及び上下方向に位置決め可能に固定されるので、何ら工具等を必要とせずに転子支持体を引出しに簡単に取り付けることができる。したがって、収納家具を配送拠点から配送する直前まで或いは配送先で組立を開始する直前まで転子を支持する合成樹脂製の転子支持体を引出しから分離させておくことができるので、製造拠点や配送拠点での保管や製造拠点から配送拠点まで或いは配送先まで配送する際の梱包等をコンパクト化することができ、低コスト化することができる。しかも、転子を支持する合成樹脂製の転子支持体を合成樹脂製の前板の取付部のみで前後左右及び上下に位置決めするので高い位置決め精度を確保することができる。さらに、転子支持体には該転子支持体が前板の取付部に位置決め固定された際に該取付部の上方へ突出する突出部が設けられるとともに、金属製の前板裏カバーには前記取付部の上側で前記転子支持体の突出部を支持する金属製の支持部が設けられているので、引出しを引き出した際に転子が床面上の突出物或いは段差等に衝突し転子に衝撃が加わったときには、この衝撃に抗して転子支持体を金属製の前板裏カバーに設けられている金属製の支持部により安全に支持することができる。したがって、引出しの出し入れの際の衝撃による転子支持体の脱落や、転子支持体又は前板の破損を防止することができる。また、転子支持体の前後左右及び上下方向の位置決めを合成樹脂製の前板のみで行うので、前板裏カバーの支持部には転子支持体に対する位置決め精度を確保する必要がない。したがって、前板裏カバーの支持部には高い加工精度を確保する必要がなく、低コストで製造することができる。
【００１０】
上記構成において、好ましくは、前記支持部は、前記前板裏カバーの下端より前方に折り曲げて形成された下端折曲縁を有し、該下端折曲縁には、前記転子支持体が前記前板の取付部に位置決めされたときに前記転子支持体の前記突出部と嵌まり合う透孔が形成される。かかる構成によれば、前板裏カバーの下端より前方に折り曲げて下端折曲縁を形成するので、前板裏カバーの剛性を高めることができる。そして、前板裏カバーの下端折曲縁に転子支持体の突出部とクリアランスをもって嵌まり合う透孔を形成しているので、転子に衝撃が加わったときにこの衝撃に抗して転子支持体を安全に支持することができる支持部を簡単な構成で実現することができる。
【００１１】
また好ましくは、前記支持部は、前記前板裏カバーの前面側に取り付けられた支持金具を有し、該支持金具には、前記転子支持体が前記前板の取付部に位置決めされたときに上下に間隔をあけた２カ所で前記転子支持体の前記突出部と嵌まり合う２つの透孔が形成される。かかる構成によれば、転子支持体が前板の取付部に位置決めされたときに、金属製の前板裏カバーに取り付けられた支持金具に上下に間隔をあけて形成されている２つの透孔が転子支持体の突出部とクリアランスをもって嵌まり合うので、転子に衝撃が加わったときにこの衝撃に抗して転子支持体の突出部を支持金具により上下に２点支持することができる。したがって、より大きな支持強度の支持部を実現することができる。
【００１２】
また好ましくは、前記前板の取付部が前記転子支持体を下方から受け入れて該転子支持体を前後左右に位置決め可能に保持する保持部と、該保持部に嵌め込まれた前記転子支持体の上方移動を規制するためのストッパ部とを有し、前記前板の取付部と前記転子支持体とに、前記保持部に嵌め込まれた前記転子支持体がその上方移動を規制される位置で弾性を利用して転子支持体の下方移動を規制する弾性抜け止め手段が設けられる。かかる構成によれば、転子支持体を前後左右及び上下に位置決め固定する取付部を簡単な構成で実現することができる。
【００１３】
さらに本発明は、床に近接する引出しが引出し本体に設けられた金属製の前板裏カバーと、該前板裏カバーの前側に取り付けられる合成樹脂製の前板とを備えている収納家具において、前記前板は前板裏カバーの下側に位置する取付部を有し、転子を支持する合成樹脂製の転子支持体が前記前板の取付部に対し下方より嵌め込まれて前後左右及び上下方向に位置決め可能に固定され、前記前板裏カバーには前記転子支持体に設けられた上方への突出部を支持するように支持部が設けられており、前記支持部は、前記前板裏カバーの前面側に取り付けられた支持金具を有し、該支持金具には、前記転子支持体が前記前板の取付部に位置決めされたときに上下に間隔をあけた２カ所で前記突出部と嵌まり合う２つの透孔が形成されていることを特徴とする収納家具における前傾防止構造を提供する。
【００１４】
上記構成によれば、転子を支持する合成樹脂製の転子支持体が引出しの前板の取付部に対し下方より嵌め込まれて前後左右及び上下方向に位置決め可能に固定されるので、何ら工具等を必要とせずに転子支持体を引出しに簡単に取り付けることができる。また、合成樹脂製の前板の取付部のみで転子支持体を前後左右及び上下に位置決めするので高い位置決め精度を確保することができる。しかも、転子支持体が前板の取付部に位置決めされたときに、金属製の前板裏カバーに取り付けられた支持金具に上下に間隔をあけて形成されている２つの透孔が転子支持体の突出部とクリアランスをもって嵌まり合うので、転子に衝撃が加わったときにこの衝撃に抗して転子支持体の突出部を支持金具により上下に２点支持することができる。したがって、より大きな支持強度の支持部を実現することができる。
【００１５】
さらに本発明は、床に近接する引出しが引出し本体に設けられた金属製の前板裏カバーと、該前板裏カバーの前側に取り付けられる合成樹脂製の前板とを備えている収納家具において、前記前板は前板裏カバーの下側に位置する取付部を有し、転子を支持する合成樹脂製の転子支持体が前記前板の取付部に対し下方より嵌め込まれて前後左右及び上下方向に位置決め可能に固定され、前記前板裏カバーには前記転子支持体に設けた上方への突出部を支持するように支持部が設けられており、前記前板の取付部が前記転子支持体を下方から受け入れて該転子支持体を前後左右に位置決め可能に保持する保持部と、該保持部に嵌め込まれた前記転子支持体の上方移動を規制するためのストッパ部とを有し、前記前板の取付部と前記転子支持体とに、前記保持部に嵌め込まれた前記転子支持体がその上方移動を規制される位置で弾性を利用して転子支持体の下方移動を規制する弾性抜け止め手段が設けられていることを特徴とする収納家具における前傾防止構造を提供する。
【００１６】
上記構成によれば、転子を支持する合成樹脂製の転子支持体が引出しの前板の取付部に対し下方より嵌め込まれて前後左右及び上下方向に位置決め可能に固定されるので、何ら工具等を必要とせずに転子支持体を引出しに簡単に取り付けることができる。また、合成樹脂製の前板のみで転子支持体を前後左右及び上下に位置決めするので高い位置決め精度を確保することができる。しかも、転子支持体を前後左右及び上下に位置決め固定する取付部を簡単な構成で実現することができる。
【００１７】
上記構成において好ましくは、前記支持部は、前記前板裏カバーの下端より前方に折り曲げて形成された下端折曲縁を有し、前記前板は前記前板裏カバーの前記下端折曲縁の下面と重なり合う横壁部を有し、この横壁部の下面が前記取付部の前記ストッパ部を構成する。かかる構成によれば、引出しに収容された収容物の荷重が金属製前板裏カバーの下端折曲縁から直接前板の横壁部を介して転子支持体に作用するので、引出しに収容された収容物の荷重によって合成樹脂製の前板に撓みや曲げ応力が加わることを防止できる。したがって、前板の強度低下を防止しつつ転子支持体を支持できる収納家具における前傾防止構造を提供することができる。
【００１８】
【発明の実施の形態】
以下、図面を参照して本発明の好ましい実施形態を説明する。
【００１９】
【実施例】
図１から図４までは本発明をワゴンに適用した場合の一実施例を示したものである。図１（ａ）、（ｂ）はそれぞれ引出しの前傾防止構造を備えた収納家具の引出し収納時及び引出しを引き出したときの斜視図であり、図２は図１に示す収納家具の引出し前端近傍の要部底面図である。図３（ａ）、（ｂ）はそれぞれ図１に示す収納家具における前傾防止構造の図２中３ａ−３ａ線に沿った一部破断縦断面図及び要部分解斜視図である。図４は図１の収納家具における前傾防止構造の要部斜視図である。
【００２０】
はじめに図１（ａ）、（ｂ）を参照すると、収納家具であるワゴン１は底部にキャスター６を備えた家具本体２を備え、この家具本体２には３つの引出し３、４、５がそれぞれ出し入れ可能に収容されている。最下段の引出し５は床に最も近接する引出しであり、ファイル等を収容できるように他の引出しよりも大きく形成されている。
【００２１】
図１（ｂ）、図３（ａ）に示すように、この最下段の引出し５は引出し本体５１と、この引出し本体５１の前端に例えばスポット溶接により取り付けられる金属製の前板裏カバー５２と、この前板裏カバー５２の前側に取り付けられる合成樹脂製の前板５３とを有する。
【００２２】
前板裏カバー５２は縦壁部５２ａと、この縦壁部５２ａの上端から前方に折り曲げ形成された上端折曲縁５２ｂと、縦壁部５２ａの下端から前方に折り曲げ形成された下端折曲縁５２ｃと、左右の両側端からそれぞれ前方に折り曲げ形成された側部折曲縁（図示略）とを有する。一方、前板５３は、前板裏カバー５２の前方から上下及び左右の折曲縁の外側に嵌まるように形成されている。すなわち、前板５３は縦壁部５３ａの上端から後方に延びて前板裏カバー５２の上端折曲縁５２ｂの外面すなわち上面に重なる上壁部５３ｂと、縦壁部５３ａの下部から後方に延びて前板裏カバー５２の下端折曲縁５２ｃの外面すなわち下面に重なる横壁部５３cと、縦壁部５３ａの左右両側端からそれぞれ後方に延びて前板裏カバー５２の両側端折曲縁の外面に重なる側壁部（図示略）とを有する。また、前板５３の縦壁部５３ａの下端は前板裏カバー５２の下端よりも下方に位置しており、前板５３の縦壁部５３ａの下端には上記横壁部５３ｃと平行に延びる下壁部５３ｄが設けられている。
【００２３】
さらに、前板５３の縦壁部５３ａの上部には後方に凹んだ引手部５３ｅが形成され、この引手部５３ａの上部には、引出し５を家具本体２内に止めておくためのラッチ部材（図示省略）をラッチ解除させるための引手レバー５４が設けられている。
【００２４】
さらに、前板５３の縦壁部５３ａの裏側には前傾防止キャスター７を取り付けるための取付部５５が横壁部５３ｃ及び横壁部５３ｄと一体に設けられている。前傾防止キャスター７は転子としてのローラ７１と、このローラ７１を回転可能に支持する合成樹脂製の転子支持体７２とを有している。
【００２５】
この実施例においては、ローラ７１はその両端に軸部７１ａを有し、転子支持体７２はその底部から下方に延びる２つの支持脚７４を有し、両支持脚７４の下端にはローラ７１の軸部７１ａの外周に回転可能に嵌まる軸受溝７４ａが形成されている。この軸受溝７４ａは下側に軸部７１ａの直径よりも小さい開口部を有しているので、合成樹脂からなる支持脚７４の弾性を利用してローラ７１の軸部７１ａを下方から軸受溝７４ａ内に嵌め込んで軸受溝７４ａ内に保持させることができるものとなっている。
【００２６】
図３（ａ）、（ｂ）及び図４に示すように、転子支持体７２は前板５３の取付部５５に対し下方より嵌め込まれて前後左右及び上下方向に位置決め可能に固定されるように形成されている。すなわち、取付部５５は下壁部５３ｄの下面に開口する保持溝５５ａを有しており、この保持溝５５ａは横壁部５３ｃの下面まで延びている。転子支持体７２は下壁部５３ｄの下方からこの保持溝５５ａに嵌まり込むことにより、前板５３に対し前後及び左右に位置決め固定される。また、転子支持体７２をこの保持溝５５ａに嵌め込んだとき、転子支持体７２の上端が横壁部５３ｃの下面に当接することにより、転子支持体７２の上方への移動が規制される。すなわち、横壁部５３ｃは該保持溝５５ａに嵌め込まれた転子支持体７２に対する上方移動規制のためのストッパ部をなす。
【００２７】
さらに、転子支持体７２の前面に設けられた２つの開口７２ａ内にはそれぞれその上端から下方及び前方に向かって傾斜して延びる引掛爪部７５が一体に設けられており、前板５３の取付部５５には、引掛爪部７５と嵌まり合うことができる２つの凹部５５ｂが設けられており、転子支持体７２の上端が横壁部５３ｃの下面に当接するとき、引掛爪部７５の下端がその弾性により凹部５５ｂ内に入り込み引掛爪部７５の下端が凹部５５ｂの下端に当接することにより、転子支持体７２が上下方向に位置決め固定されるとともに、転子支持体７２が取付部５５の嵌合溝５５ａから下方に脱落することが防止される。
【００２８】
さらに、転子支持体７２にはその上端から上方に突出して延びる突出部７６が一体に設けられており、この突出部７６は前板５３の横壁部５３ｃに形成された透孔５３ｅを通って上方に突出可能となっている。そして、前板裏カバー５２の下端折曲縁５２ｃには突出部７６と適度なクリアランスをもって嵌まり合うことができる透孔５２ｄが形成されており、さらに、下端折曲縁５２ｃの上側において前板裏カバー５２には断面略コ字形をなした金属製の支持金具８が例えばスポット溶接により取り付けられており、この支持金具８の上壁部８ａ及び下壁部８ｂにはそれぞれ突出部７６と適度なクリアランスをもって嵌まり合うことができる透孔８ｃ、８ｄが形成されている。したがって、転子支持体７２を取付部５５の保持溝５５ａ内に嵌め込んで位置決め固定したとき、金属からなる前板裏カバー５２の透孔５２ｄと、支持金具８の上壁部８ａ及び下壁部８ｂに設けられている透孔８ｃ、８ｄがそれぞれクリアランスをもって転子支持体７２の突出部７６と嵌まり合うため、前傾防止キャスター７のローラ７１に前後方向の衝撃が加わったときは転子支持体７２の突出部７６を介して前板裏カバー５２及び支持金具８によりその衝撃を受け止めることができる。したがって、合成樹脂製の前板５３に過大な負荷が加わることを防止でき、前板５３の破損を防止することができる。また、支持金具８が前板裏カバー５２の縦壁部５２ａ及び下端折曲縁５２ｃに当接するように取り付けられているので、前板裏カバー５２及びその下端折曲縁５２ｃを支持金具８により補強することができる。したがって、ローラ７１に加わる前後方向の衝撃により前板裏カバー５２及びその下端折曲縁５２ｃが変形することを防止できる。
【００２９】
なお、前板５２の横壁部５３ｃ、前板裏カバー５２の下端折曲縁５２ｃ、支持金具８の下壁部８ｂ等には従来のネジ止めタイプの前傾防止キャスター（不図示）を選択的に取り付けることができるようにそれぞれネジ通し孔５３ｆ、５２ｅ、８ｅが形成されているが、これは省略してもよい。
【００３０】
上記構成を有するワゴンの前傾防止構造によれば、ローラ７１を支持する合成樹脂製の転子支持体７２が引出し５の前板５３の取付部５５に対し下方より嵌め込まれて前後左右及び上下方向に位置決め可能に固定されるので、何ら工具等を必要とせずに転子支持体７２を引出し５に簡単に取り付けることができる。したがって、ワゴンを配送拠点から配送する直前まで或いは配送先で組立を開始する直前まで転子７１を支持する合成樹脂製の転子支持体７２を引出し５から分離しておくことができるので、製造拠点や配送拠点での保管や、製造拠点から配送拠点まで或いは配送先まで配送する際に、ワゴンの梱包をコンパクト化することができ、低コスト化することができる。また、合成樹脂製の転子支持体７２と合成樹脂製の前板７３とで転子支持体７２を前後左右及び上下に位置決めするので高い位置決め精度を確保することができる。さらに、金属製の前板裏カバー５２の下端折曲縁５２ｃには転子支持体７２に設けた上方への突出部７６を前後左右に支持するように透孔５２ｄが設けられているので、引出し５を引き出した際にローラ７１が床面上の突出物或いは段差等に衝突し転子に衝撃が加わったときには、この衝撃に抗して転子支持体７２を金属製の前板裏カバー７２の下端折曲縁５２ｃにより支持することができるので、衝撃による転子支持体７２の脱落や、転子支持体７２又は前板５３の破損を防止することができる。また、前板裏カバー５３の透孔５３ｄには転子支持体７２に対する位置決め精度を確保する必要がないため、高い加工精度を確保する必要がなく、したがって、低コストで製造することができる。
【００３１】
また、上記実施例においては、前板裏カバー５２の下端より前方に折り曲げて形成された下端折曲縁５２ｃにより転子支持体７２の突出部７６のための支持部を構成しているので、前板裏カバー５２の剛性を高めることができるとともに、ローラ７１に衝撃が加わったときにこの衝撃に抗して転子支持体７２を安全に支持することができる支持部を簡単な構成で実現できる。
【００３２】
さらに、上記実施例においては、ローラ７１に前後方向の衝撃が加わったときに、前板裏カバー５２の縦壁部５２ａの前面に取り付けられた支持金具８が、上下に間隔をあけた２カ所で転子支持体７２の突出部７６を２点支持することができるので、より大きな支持強度の支持部を実現することができる。
【００３３】
なお、上記実施例のように支持金具８を用いるときは、ローラ７１に加わる前後方向の衝撃を支持金具８で受け止めることが望ましいため、支持金具８の透孔８ｃ、８ｄと突出部７６との間のクリアランスよりも、前板裏カバー５２の下端折曲縁５２ｃの透孔５２ｄと突出部７６との間のクリアランスを大きくとることができる。したがって、支持金具８よりも大きなサイズを有する前板裏カバー５２の穴打ち抜き加工や曲げ加工精度要求を下げることができるので前板裏カバー５２の製造コストを低減化できることとなる。なお、前板５３の横壁部５３ｃに形成する透孔５３ｅは突出部７６に対し前後及び左右方向の位置決め精度を確保するように形成してもよいが、転子支持体７２の前後及び左右方向の位置決めは綴込み部５の保持溝５５ａによって達成されるので、透孔５３ｅと取付け部材６との間には適度の遊びを設けてもよい。
【００３４】
また、上記実施例の構成においては、前板５３の横壁部５３ｃが前板裏カバー５２の下端折曲縁５２ｃの下面と重なり合っており、この横壁部５３ｃの下面が転子支持体７２の上端と当接するストッパ部を構成しているので、引出し５に収容された収容物の荷重が金属製の前板裏カバー５２の下端折曲縁５２ｃから直接前板５３の横壁部５３ｃを介して転子支持体７２に作用する。したがって、引出し５に収容された収容物の荷重によって合成樹脂製の前板５３に望ましくない撓みや曲げ応力が加わることを防止できる。したがって、前板５３の強度低下を防止しつつ転子支持体７２を支持できる前傾防止構造とすることができる。
【００３５】
図５は本発明の他の実施例を示す図４と類似の斜視図である。同図において上記実施例と同様の構成要素には同一の参照符号が付してある。この実施例では、転子支持体７２の上端に上方に突出して延びる２つの突出部７６、７６が一体に設けられており、前板５３の横壁部５３ｃ突出部７６、７６を通す２つの透孔５３ｅ、５３ｅが形成され、前板裏カバー５２の下端折曲縁５２ｃにも２つの透孔５２ｄ、５２ｄが設けられている。また、図示は省略しているが、下端折曲縁５２ｃの上に設けられる支持金具にも上下壁部にそれぞれ２つの透孔が形成される。他の構成は上記実施例と同様である。したがって、この実施例においても上記実施例と同様の作用効果が得られることが明らかであろう。
【００３６】
以上、図示実施例につき説明したが、本発明は上記実施例の態様のみに限定されるものではなく、特許請求の範囲に記載した発明の範囲内においてその構成要素に種々の変更を加えることができる。例えば、転子支持体７２に支持される転子はローラに限られずボール状のものであってもよい。また、前板裏カバー５２に設けられる支持部は転子に前後方向の衝撃特に、引出しを引き出したときの前方からの衝撃が発生したときに、その衝撃に抗して支持するものであればよいので、上記実施例のような透孔５２ｄ、８ｃ、８ｄ等を有する形態に限られず、突出部７６の前面及び後面と対向する支持壁を有するものであればよい。また、上記実施例においては下方への抜け止め手段をなす弾性引掛部７５が転子支持体７２に設けられ、且つ、凹部５５ｂが前板５３の取付部５５に設けられているが、弾性引掛部を前板の取付部に設け且つ凹部を転子支持体に設けてもよい。さらに、本発明はワゴンに限らず、引出しを有する机、袖机、脇机等に適用可能である。
【００３７】
【発明の効果】
以上の説明から明らかなように、本発明は合成樹脂製の前板と合成樹脂製の転子支持体とで前後左右及び上下の位置決めを行い、且つ、転子への衝撃に対しては金属製の前板裏カバーに設けた支持部で転子支持体を支持し得るように構成したものであるから、引出しへの取付けが容易で且つ高い取付け強度と位置決め精度を確保することができる収納家具における前傾防止構造を提供することができる。
【図面の簡単な説明】
【図１】（ａ）、（ｂ）はそれぞれ本発明の一実施例に係る収納家具の引出し収納時及び引出しを引き出したときの斜視図である。
【図２】図１に示す収納家具の引出し前端近傍の要部底面図である。
【図３】（ａ）、（ｂ）はそれぞれ図１に示す収納家具における前傾防止構造の図２中３ａ−３ａ線に沿った一部破断縦断面図及び要部分解斜視図である。
【図４】図１の収納家具における前傾防止構造の要部斜視図である。
【図５】本発明の他の実施例を示す収納家具における前傾防止構造の要部斜視図である。
【符号の説明】
１    ワゴン（収納家具）
５    引出し
６    キャスター
７    前傾防止キャスター
８    支持金具
８ｃ、８ｄ    透孔
５１    引出し本体
５２    前板裏カバー
５２ｃ    下端折曲縁
５２ｄ    透孔
５３    前板
５３ｃ    横壁部
５３ｅ    透孔
５５    取付部
５５ａ    保持溝（保持部）
５５ｂ    凹部
７１    ローラ（転子）
７２    転子支持体
７５    弾性引掛部
７６    突出部
【図１】
0003558329.tif 000002
【図２】
0003558329.tif 000003
【図３】
0003558329.tif 000004
【図４】
0003558329.tif 000005
【図５】
0003558329.tif 000006